(57)【要約】【課題】放射線管理区域内の放射線データを監視領域画面上に表示可能とし、短時間で効率良く作業者および管理技術者などの被ばく低減を図れるようにする。【解決手段】線量計２だけでなく、これが取りつけられる領域の画像データをもＣＣＤカメラ１を介して同時に取り込み、無線で（モデム３２，４参照）遠隔地に設置されるデータ管理装置５に伝送して記憶させ、放射線データと画像データの処理を工夫することにより、これらのデータのリアルタイム処理を可能とし、適切で迅速な被ばく管理ができるようにする。【選択図】　　　　図１
2004012197.tif 000002
【特許請求の範囲】
【請求項１】
原子力発電所等の放射性物質取扱施設において、放射線監視が義務付けられている放射線監視領域を撮像するテレビカメラと、監視領域内の１ヵ所以上の放射線量を測定し測定した１ヶ所以上の放射線データを伝送する複数の子局と、この複数の子局の放射線データを伝送する親局と、前記テレビカメラからの画像データと前記親局を介する複数の子局からの放射線データを伝送する画像コントローラと、この画像コントローラにネットワークを介して接続され画像データならびに放射線データを伝送する第１モデムと、この第１モデムと画像データならびに放射線データを伝送する第２モデムにネットワークを介して接続され、前記画像データならびに放射線データを受信し記憶するデータ管理装置とを備えた放射線モニタシステムにおいて、前記複数の子局と前記親局との間、前記画像コントローラと前記データ管理システムとの間の前記画像データまたは前記放射線データのデータ伝送手段に無線を使用した事を特徴とする放射線モニタシステム。
【請求項２】
前記画像データまたは前記放射線データを複数の画像または複数の放射線量として前記データ管理装置に同時に表示し、放射線監視領域と監視領域内の複数の放射線量との同時監視、また複数の放射線量を画像表示された放射線発生源上に表示する事を特徴とする請求項１記載の放射線モニタシステム。
【請求項３】
前記テレビカメラ、子局、親局、画像コントローラ、第１モデムを複数個設け、前記データ管理装置１台にて複数個の画像または放射線量を表示可能にしたことを特徴とする請求項１記載の放射線モニタシステム。
【請求項４】
前記画像データを圧縮して電子データ化し、単位時間当たりに送信可能となるフレーム数を複数とする事により、前記データ管理装置に表示する画像を動画として表示可能にした事を特徴とする請求項１記載の放射線モニタシステム。
【請求項５】
前記画像データと放射線データを前記ネットワークの２つの伝送路を用いて別々に伝送し、また前記データ管理装置にて別々に受信した前記画像データと放射線データを同時並行処理する事により、リアルタイムに動画または複数の放射線量を同時に表示可能にした事を特徴とする請求項１記載の放射線モニタシステム。
【発明の詳細な説明】
【０００１】
【発明の属する技術分野】
この発明は、放射線データをその監視領域画像とともに表示できるようにした放射線モニタシステムに関する。
【０００２】
【従来の技術】
原子力発電所等の放射性物質取扱施設において、放射線監視区域の放射線量を測定し、その監視領域内の作業者または測定者が被ばくしないよう、また作業者等を含む監視領域内の監視を行い、その安全を図るシステムとしてエリアモニタ装置がある。このエリアモニタ装置を使用しての監視はテレビカメラを用いて放射線量ならびに監視領域内を監視するシステムであるが、これはかなり大掛かりな装置であり、可搬性に乏しく、テレビカメラ１台による１点監視しか行なえないため、放射線量と監視領域内の監視が同時に行なえない問題がある。
【０００３】
また、装置の設置、ケーブルの敷設等にも時間が掛かるため測定者の被ばくならびにケーブル自体の汚染などの問題もある。
【０００４】
【発明が解決しようとする課題】
つまり、従来は放射線量と監視領域の監視を別々に行なっているため、放射線量ならびに作業者等を含む監視領域内の適切な監視が行なえているとは言えず、また、装置の設置、ケーブル敷設などを行なう測定者の被ばく低減、装置の汚染低減が適切かつ効率良く行なわれていない。
【０００５】
従って、この発明が解決しようとする課題は、放射線監視領域の放射線量ならびに作業者等を含む監視領域内の監視を同時に行い、かつリアルタイムに監視領域の適切な監視が行なえるようにする事、またデータ伝送手段に無線を使用する事により可搬性の向上、設置作業の簡略化を行い、測定者の被ばく低減ならびに装置の汚染低減が行なえるようにする事にある。
【０００６】
【課題を解決するための手段】
このような課題を解決するため、請求項１の発明では、放射線監視領域を撮像するテレビカメラと、監視領域内の１ヶ所以上の放射線量を測定し測定した１ヶ所以上の放射線データを伝送する複数の子局と、この複数の子局の放射線データを伝送する親局と、前記テレビカメラからの画像データと前記親局を介する複数の子局からの放射線データを伝送する画像コントローラと、この画像コントローラにネットワークを介して接続され画像データならびに放射線データを伝送する第１モデムと、この第１モデムと画像データならびに放射線データを伝送する第２モデムにネットワークを介して接続され、前記画像データならびに放射線データを受信し記憶するデータ管理装置とを備え、前記画像データと放射線データを無線にて送受信させる事により、エリアモニタ装置をケーブル等を極力使用しない構成とし、装置の設置およびケーブル敷設に掛かる時間を短縮させ、測定者の被ばく低減ならびにケーブル等装置の汚染低減を図れる事を特徴とする。
【０００７】
上記請求項１の発明においては、無線を使用する事によりエリアモニタ装置の構成を簡単にする事による測定者の被ばく低減ならびに装置の汚染低減を図っているが、原子力発電所等の放射性物質取扱施設では、その放射線を測定する測定器に無線が影響を及ぼすため、放射線量を測定する複数の子局と親局の間は特定小電力無線を使用し、測定器への影響が無いようにしている。また、放射性物質取扱施設は、放射線を防護するための対応により電波を遮る遮蔽物が多く存在するため、前記第１モデムと第２モデムの間はＳＳ無線を使用し１つ以上の中継器を介在させる事により遮蔽物を避けて電波の到達距離を延長化する事ができる。
【０００８】
請求項２の発明においては、前記データ管理装置により画像または複数の放射線量を同時に表示し、放射線監視領域と監視領域内の複数の放射線量との同時監視を可能、また複数の放射線量を画像表示された放射線発生源上に表示可能にした事を特徴とする。
請求項３の発明においては、前記テレビカメラ、子局、親局、画像コントローラ、第１モデムを複数個設け、前記データ管理装置１台にて複数個の画像データならびに放射線データを受信し記憶する事により、データ管理装置にて複数個の画像、放射線量を表示可能にし監視領域の拡大を行なう事ができる。
【０００９】
請求項４の発明においては、前記テレビカメラからの画像データを圧縮して電子データ化する事により画像データの高速送信を可能とし、単位時間当たりに送信可能となるフレーム数を複数とする事により、前記データ管理装置にて表示する画像を動画として表示可能にする事ができ、また、請求項５の発明においては、前記画像データと放射線データを前記ネットワークの２つのデータ伝送路を用いて別々に伝送し、またデータ管理装置にて別々に受信した画像データと放射線データを同時並行処理する事により、リアルタイムに動画ならびに放射線量の同時表示を可能とし（請求項５）、監視領域内の撮像箇所の状況ならびに放射線量の変化をいち早く検出し作業者等の被ばく低減を可能にする事が出来る。
【００１０】
【発明の実施の形態】
図１はこの発明の第１の実施の形態を示す構成図である。
図示のように、この放射線モニタシステムは監視領域を撮像するＣＣＤ（Ｃｈａｒｇｅ　Ｃｏｕｐｌｅｄ　Ｄｅｖｉｃｅ）カメラ等のカメラ１と、放射線量を測定する測定器（線量計）を備え、測定した放射線データの特定小電力無線による通信が可能な子局２と、エリアモニタ装置３と、無線ＬＡＮ（Ｌｏｃａｌ　Ａｒｅａ　Ｎｅｔｗｏｒｋ）用のモデム４と、パーソナルコンピュータ等のデータ管理装置５とから構成される。なお、エリアモニタ装置３内の符号３１は画像コントローラ、３２は無線ＬＡＮ用モデム、３３は特定小電力無線による通信が可能な親局である。
【００１１】
カメラ１と画像コントローラ３１との間は、例えばＮＴＳＣと呼ばれるカラーテレビジョン方式で接続され、画像コントローラ３１と親局３３との間は、例えばＲＳ−２３２Ｃと呼ばれるインタフェースで接続され、画像コントローラ３１と無線ＬＡＮ用モデム３２および無線ＬＡＮ用モデム４とデータ管理装置５との間は、それぞれイーサネット（登録商標）と呼ばれるバス構造のＬＡＮで接続されている。
【００１２】
無線ＬＡＮ用モデム３２と無線ＬＡＮ用モデム４は、ノイズ，セキュリティに強く、ＬＡＮとの接続に適したスペクトラム拡散方式通信が可能なＳＳ無線ＬＡＮ用モデムを用いているが、これらに限らないのは勿論である。また、親局３３と子局２との間を特定小電力無線で通信しているのは、放射性物質取扱施設では放射線を測定する測定器に影響を与えるような大出力の無線機器が使用出来ないと言う事情による。
【００１３】
以上の構成によれば、画像コントローラ３１には、カメラ１からの測定者等を含む監視領域の画像データが、例えばＮＴＳＣ方式で入力される一方、子局２に備えられた線量計からの放射線データが親局３３を介して、例えばＲＳ−２３２Ｃ方式で入力される。画像コントローラ３１は入力された画像データを圧縮するなどして単位時間当たりに送信可能なフレーム数を増やし（例えば最大２０フレーム／秒）、データ管理装置５で動画としての表示が可能なものとすると共に、圧縮などされた画像データと親局３３から入力された放射線データを無線ＬＡＮ用モデム３２に送る。この時、図２に示す如く、イーサネット内の２つの伝送路を用いて画像データと放射線データを別々に送信する事で、送信速度の高速化を図っている。無線ＬＡＮ用モデム３２からの画像データならびに放射線データは無線ＬＡＮ用モデム４を介してデータ管理装置５に送られ、ファイルとして記憶される。さらに、図３に示す如く、データ管理装置５では画像データと放射線データの取込み処理を時系列処理でなく同時並行処理を行なう事で表示処理の高速化を図っている。
【００１４】
これにより、前記の送信速度の高速化と合わせ、リアルタイムに動画ならびに放射線量の表示を可能とし、監視領域内の状況ならびに放射線量の変化をいち早く認識出来るようにしている。
また、画像データと放射線データをファイル化する事により、情報入手の容易化および適切な被ばく管理が行える。
【００１５】
図４はこの発明の第２の実施の形態を示す構成図である。なお、図１と同一の部材には同一符号を付している。
上述の第１の実施の形態では、カメラ１、子局２、エリアモニタ装置３を１台としているが、第２の実施の形態においては、これを複数台とする事でデータ管理装置５に複数台同時に動画と放射線量を表示させ、監視領域の拡大を行なうようにしている。また、エリアモニタ装置３とデータ管理装置５との間で、電波が微弱な場合や遮蔽物により電波が届かない場合は、中継器を適宜介在させる事により電波の延長化を行なう事が出来る。
【００１６】
【発明の効果】
この発明によれば、原子力発電所等の放射性物質取扱施設において、放射線管理が義務付けられている放射線監視領域の放射線量ならびに作業者を含む監視領域内の監視を同時に、かつリアルタイムに行い、監視領域の状況ならびに放射線量の変化をいち早く認識でき、適切な監視が行えると言う利点がある。
【００１７】
また、データ伝送手段に無線を使用する事により可搬性の向上、設置作業の簡略化を行い、測定者の被ばく低減ならびに装置の汚染低減が行なえる。
【図面の簡単な説明】
【図１】この発明の第１の実施の形態を示す構成図である。
【図２】イーサネット内の２つの伝送路を用いた伝送による送信速度の高速化を説明するための図である。
【図３】画像データと放射線データを同時並行処理で行なう事によるリアルタイム化を説明するための図である。
【図４】この発明の第２の実施の形態を示す構成図である。
【符号の説明】
１…カメラ（ＣＣＤカメラ）、２…子局（線量計）、３…エリアモニタ装置、３１…画像コントローラ、３２…ＳＳ無線ＬＡＮ用モデム、３３…親局、５…データ管理装置（パーソナルコンピュータ）。
【図１】
2004012197.tif 000003
【図２】
2004012197.tif 000004
【図３】
2004012197.tif 000005
【図４】
2004012197.tif 000006